(57)【要約】【課題】  アームベース、スペーサーディスク、エンドプレートという３枚の回転ディスクで構成したアーム軸部を有する肘掛をベースプレートを介して便器本体に回動自在に取り付ける際に、アーム軸部に内蔵させた固定ネジでアーム軸部とベースプレートとを固定させた場合において、施工時の不十分な締付や肘掛の幾度もの回動による緩みが発生して、エンドプレート内に位置していた固定ネジのネジ頭が緩み出てきたとしても、エンドプレートとその手前のスペーサーディスクとの間に挟まることなく、回転に干渉せず、破損等の発生を効果的に防ぐことのできる、肘掛付き便器およびそれに用いられる便器用肘掛を提供することを課題としている。【解決手段】  アーム軸部２３のエンドプレート２３ｃ内に位置している固定ネジ４のネジ頭４１が緩んだときに入り込む逃げ溝２３４ｂを、スペーサーディスク２３ｂに設ける。【選択図】図１
2006174909.tif 000002
【特許請求の範囲】
【請求項１】
アームベース、スペーサーディスク、エンドプレートで構成されたアーム軸部を有する肘掛が取付金具としてのベースプレートを介して便器本体に回動自在に取り付けられる際に、アーム軸部に内蔵させた固定ネジでアーム軸部とベースプレートとが固定される肘掛付き便器であって、アーム軸部のエンドプレート内に位置している固定ネジのネジ頭が緩んだときに入り込む逃げ溝が、スペーサーディスクに設けられていることを特徴とする肘掛付き便器。
【請求項２】
アームベース、スペーサーディスク、エンドプレートで構成され且つ固定ネジを内蔵したアーム軸部を有し、固定ネジが取付金具としてのベースプレートに固定されて便器本体に回動自在に取り付けられる便器用肘掛であって、アーム軸部のエンドプレート内に位置している固定ネジのネジ頭が緩んだときに入り込む逃げ溝が、スペーサーディスクに設けられていることを特徴とする便器用肘掛。
【発明の詳細な説明】
【技術分野】
【０００１】
本願発明は、肘掛が左右両側に回動自在に取り付けられる便器に関するものである。
【背景技術】
【０００２】
上記の便器については、たとえば図２（ａ）（ｂ）（ｃ）に例示したように、便器本体１のベースプレート取付部位に取付金具としてのベースプレート３を取り付け、このベースプレート３を介して肘掛２を回動自在に取り付けることがしばしばある。
【０００３】
ベースプレート３については、左右に延びた平板部３１とその左右端から垂下した一対の縦板部３２とを少なくとも有し（図２（ｃ）参照）、これら平板部３１および縦板部３２が便器本体１のベースプレート取付部位に上方から被せられ、さらに平板部３１がベースプレート取付部位の上面に固定穴３１１を介して（図９参照）ネジ固定等されることで、便器本体１に取り付けられる。
【０００４】
肘掛２については、使用時に水平位置になる手摺り部２１、これを支持するアーム部２２、アーム部２２の終端にあるアーム軸部２３とを少なくとも有し、上記のとおりに便器本体１に取り付けられたベースプレート３の左右の縦板部３２にアーム軸部２３が回動自在に固定されて、便器本体１に取り付けられる。
【０００５】
そしてこれにおいて、たとえば図３に例示したように、肘掛２がどの跳ね上げ角度においても自立性を保つように、アーム軸部２３をアームベース２３ａ、スペーサーディスク２３ｂ、エンドプレート２３ｃという３枚の回転ディスクで構成して、それらの面圧によって保持している。
【０００６】
これらアームベース２３ａ、スペーサーディスク２３ｂ、エンドプレート２３ｃについてさらに説明すると、まず、アームベース２３ａは、図４（ａ）（ｂ）に例示したように、裏側へ突出した回転軸２４（図３参照）の軸中心体となる回転軸体２３１ａ、アーム軸部２３の回動範囲を抑制するストッパーピン２３２ａ、ベースプレート３の縦板部３２との固定のための固定ネジ４（図３参照）が通る固定穴２３３ａを有している。
【０００７】
スペーサーディスク２３ｂは、図５（ａ）（ｂ）に例示したように、アームベース２３ａの回転軸体２３１ａが通る軸穴２３１ｂ、アームベース２３ａのストッパーピン２３２ａが通るピン穴２３２ｂ、固定ネジ４が通る固定穴２３３ｂを有している。このスペーサーディスク２３ｂと上記アームベース２３ａとの間には組立時にウェーブ状のワッシャー２３ｄが設けられる（図３参照）。また、スペーサーディスク２３ｂ内にはグリス２３ｊも設けられる（図３参照）。
【０００８】
エンドプレート２３ｃは、図６（ａ）（ｂ）に例示したように、アームベース２３ａの回転軸体２３１ａが通る軸穴２３１ｃ、アームベース２３ａのストッパーピン２３２ａが通って回動するピン長穴２３２ｃ、固定ネジ４が通る固定穴２３３ｃ、ベースプレート３の縦板部３２との位置決め兼ずれ防止等のための裏側へ突出したピン２３４ｃを有している。
【０００９】
これらの一体化は、アームベース２３ａからスペーサーディスク２３ｂおよびエンドプレート２３ｃを抜けて突出している回転軸体２３１ａにおける外周面が螺刻された突出部分に対して、テフロン（登録商標）材２３ｅ、補強ワッシャー２３ｆ、テフロン（登録商標）板２３ｇ、皿バネ２３ｈおよびナット２３ｉが順に差し込まれ捩じ込まれることで、行なわれる（図３参照）。
【００１０】
ここで、一体化構成されたアーム軸部２３からは、回転軸体２３１ａとともに、テフロン（登録商標）材２３ｅ、補強ワッシャー２３ｆ、テフロン（登録商標）板２３ｇ、皿バネ２３ｈおよびナット２３ｉが突出しており、これら全てを含めて回転軸２４と呼ぶこととする。
【００１１】
以上のとおりに組み立てられベースプレート３に取り付けられたアーム軸部２３を持つ肘掛２は、図７および図８に例示したように、ストッパーピン２３２ａおよびピン長穴２３２ｃにより決まる回転角度範囲内での回動を行なうことが可能になる。図９（ａ）〜（ｄ）はベースプレート３の詳細図である。
【００１２】
アーム軸部２３のベースプレート３への取付けについては、図１０に例示したように、アーム軸部２３の裏側から突出しているピン２３４ｃをベースプレート３の縦板部３２のピン穴３２２に差し込み、且つ、同じく突出している回転軸２４を縦板部３２の軸穴３２１に通し、さらに、アーム軸部２３の２箇所の固定穴２３３ａから縦板部３２の固定穴３２３に対して固定ネジ４（図３参照）を六角レンチ５等を用いて締め付けて、アーム軸部２３をベースプレート３に固定する。
【００１３】
なお、下記特許文献１には、上記と同様な肘掛２のアーム軸部２３について記載されている。
【特許文献１】特開２００３−１５９２００号公報
【発明の開示】
【発明が解決しようとする課題】
【００１４】
しかしながら、以上のとおりのアームベース２３ａ、スペーサーディスク２３ｂ、エンドプレート２３ｃという３枚の回転ディスクで構成して回転ディスク体としたアーム軸部２３は、施工性を良くする目的で、固定ネジ４を回転ディスク体に内蔵しているため（図３参照）、中途半端に固定ネジ４が締められていると、肘掛２の回動に伴い固定ネジ４が回転ディスクに挟まれロックしてしまう。これでは、肘掛２の回動に支障をきたし、場合によっては破損が生じることも考えられる。
【００１５】
そこで、以上のとおりの事情に鑑み、本願発明は、アームベース２３ａ、スペーサーディスク２３ｂ、エンドプレート２３ｃという３枚の回転ディスクで構成して回転ディスク体とし、それに固定ネジ４を内蔵させたアーム軸部２３において、固定ネジ４の不十分な締め付けが発生した場合においても、固定ネジ４が回転ディスク体の回転に干渉せず、回動支障や破損等の発生を効果的に防ぐことのできる、肘掛付き便器およびそれに用いられる便器用肘掛を提供することを課題としている。
【課題を解決するための手段】
【００１６】
本願発明は、上記の課題を解決するものとして、第１には、アームベース、スペーサーディスク、エンドプレートで構成されたアーム軸部を有する肘掛が取付金具としてのベースプレートを介して便器本体に回動自在に取り付けられる際に、アーム軸部に内蔵させた固定ネジでアーム軸部とベースプレートとが固定される肘掛付き便器であって、アーム軸部のエンドプレート内に位置している固定ネジのネジ頭が緩んだときに入り込む逃げ溝が、スペーサーディスクに設けられていることを特徴とする。
【００１７】
第２には、アームベース、スペーサーディスク、エンドプレートで構成され且つ固定ネジを内蔵したアーム軸部を有し、固定ネジが取付金具としてのベースプレートに固定されて便器本体に回動自在に取り付けられる便器用肘掛であって、アーム軸部のエンドプレート内に位置している固定ネジのネジ頭が緩んだときに入り込む逃げ溝が、スペーサーディスクに設けられていることを特徴とする。
【発明の効果】
【００１８】
上記第１および第２の発明によれば、３枚の回転ディスクのうちで真中のスペーサーディスクに、固定ネジのネジ頭用の逃げ溝を設けておくことで、仮に固定ネジの不十分な締め付けが発生した場合においても、固定ネジのネジ頭が逃げ溝に入り込み、何等回転ディスク体の回転には干渉することがなく、回動支障や破損等の発生を効果的に防ぐことができるようになる。
【００１９】
スペーサーディスクの固定穴に逃げ溝を設けたのは、通常、締付後の固定ネジのネジ頭は、アーム軸部の一番裏側つまり固定相手のベースプレートに面する側にあるエンドプレートに設けた固定穴に位置しており、これが緩むとエンドプレートとその手前のスペーサーディスクとの間に挟まれることとなるため、ネジ頭が緩んだときに向かう位置にあるスペーサーディスクに設けることが効果的であるためである。
【発明を実施するための最良の形態】
【００２０】
図１は、上記のとおりの本願発明の一実施形態を示したものであり、アーム軸部２３を構成する３枚の回転ディスクのうちのスペーサーディスク２３ｂの固定穴２３３ｂに、固定ネジ４のネジ頭４１が緩んだときに逃げ込むことのできる逃げ溝２３４ｂが設けられている。
【００２１】
より具体的には、逃げ溝２３４ｂは、固定穴２３３ｂのエンドプレート２３ｃ側の端部にて、固定ネジ４のネジ頭４１よりも大きめの溝形状に形成されている。
【００２２】
この逃げ溝２３４ｂの存在により、エンドプレート２３ｃの固定穴２３３ｃ内に位置している固定ネジ４のネジ頭４１が、施工時の不十分な締付や肘掛２の幾度もの回動による緩みが発生して、固定穴２３３ｃから僅かに緩み出てきたとしても、逃げ溝２３４ｂにて確保されている空間に入り込むため、エンドプレート２３ｃとスペーサーディスク２３ｂとの間に挟まれずに、スムーズな回転が維持されることとなる。これにより、アーム軸部２３やベースプレート３などの破損も効果的に防ぐことができ、より一層良好な肘掛２付きの便器が実現される。
【図面の簡単な説明】
【００２３】
【図１】本願発明の一実施形態を示したアーム軸部の平面・一部断面図である。
【図２】（ａ）（ｂ）（ｃ）は、各々、従来の肘掛付き便器の一例を示した平面図、側面図および正面図である。
【図３】従来のアーム軸部を示した平面・一部断面図である。
【図４】（ａ）（ｂ）は、各々、図３のアーム軸部を構成するアームベースを示した平面図および裏面図である。
【図５】（ａ）（ｂ）は、各々、図３のアーム軸部を構成するスペーサーディスクを示した平面図および裏面図である。
【図６】（ａ）（ｂ）は、各々、図３のアーム軸部を構成するエンドプレートを示した平面図および裏面図である。
【図７】組立後の図３のアーム軸部を持つ肘掛を示した正面図である。
【図８】肘掛の回動について説明するための図である。
【図９】（ａ）〜（ｄ）は、各々、ベースプレートを示した平面図、正面図および左右側面図である。
【図１０】ベースプレートへの肘掛の取付けについて説明するための図である。
【符号の説明】
【００２４】
１  便器本体
２  肘掛
２１  手摺り部
２２  アーム部
２３  アーム軸部
２３ａ  アームベース
２３１ａ  回転軸体
２３２ａ  ストッパーピン
２３３ａ  固定穴
２３ｂ  スペーサーディスク
２３１ｂ  軸穴
２３２ｂ  ピン穴
２３３ｂ  固定穴
２３４ｂ  逃げ溝
２３ｃ  エンドプレート
２３１ｃ  軸穴
２３２ｃ  ピン長穴
２３３ｃ  固定穴
２３４ｃ  ピン
２３ｄ  ワッシャー
２３ｅ  テフロン（登録商標）材
２３ｆ  補強ワッシャー
２３ｇ  テフロン（登録商標）板
２３ｈ  皿バネ
２３ｉ  ナット
２３ｊ  グリス
２４  回転軸
３  ベースプレート
３１  平板部
３１１  固定穴
３２  縦板部
３２１  軸穴
３２２  ピン穴
３２３  固定穴
４  固定ネジ
４１  ネジ頭
５  六角レンチ
【図１】
2006174909.tif 000003
【図２】
2006174909.tif 000004
【図３】
2006174909.tif 000005
【図４】
2006174909.tif 000006
【図５】
2006174909.tif 000007
【図６】
2006174909.tif 000008
【図７】
2006174909.tif 000009
【図８】
2006174909.tif 000010
【図９】
2006174909.tif 000011
【図１０】
2006174909.tif 000012